(57)【要約】  容器処理プラントにおける容器の下部分を保持するためのデバイスであって、容器の下部分の横表面に対する固定停止部（９）と、靴状体（１０）であって、靴状体が容器の下部分と協働するように停止部の付近において延びる保持位置と、容器の下部分が容器の下部分を停止部に対して押圧する方向（Ｆ）とほぼ同一平面上の方向に、デバイスの内部に導入されかつデバイスから引き抜かれることが可能になるように、靴状体が引っ込められる非係合位置との間で、ほぼ水平な軸線回りに枢動するように取り付けられた靴状体（１０）とが設けられた支持構造物（６）を具備する、デバイス。プラントは、このようなデバイスを具備する。
2012502862.tif 000002
【特許請求の範囲】
【請求項１】
容器処理設備における容器の底部分を保持するためのデバイスであって、
容器の底部分の横表面に対する固定当接部（９）と、
靴状体（１０）であって、
靴状体が容器の底部分と協働するように当接部の付近において延びる保持位置と、
容器の底部分が当接部に係止する方向（Ｆ）とほぼ同一平面上にある方向に沿ってデバイスの内部に挿入されかつデバイスから引き抜かれることが可能になるように、靴状体が引っ込められる非係合位置と
の間で、
ほぼ水平な軸線回りに枢動するように取り付けられた靴状体と
が設けられた支持コア（６）を具備する、
デバイス。
【請求項２】
靴状体（１０）が押し込み表面（１３）を含み、
押し込み表面が、靴状体が保持位置にあるときに容器の底部分を当接部に対して押圧するように、当接部（９）に対向するように拡がる、
請求項１に記載のデバイス。
【請求項３】
当接部（９）及び押し込み表面（１３）が、靴状体（１０）が保持位置にあるときに、容器の底部分の少なくとも一部の周りに密接に適合するように成形される、
請求項２に記載のデバイス。
【請求項４】
靴状体（１０）が保持位置にあるときに、靴状体が、容器の底部を支持するように、当接部（９）の近傍に水平に拡がる床板（１１）を含む、
請求項１又は２に記載のデバイス。
【請求項５】
前記ほぼ水平な枢動軸線（１５）が、当接部（９）の下で水平方向に延びる、
請求項１に記載のデバイス。
【請求項６】
靴状体（１０）の前記枢動軸線（１５）が、当接部（９）から離間される、
請求項５に記載のデバイス。
【請求項７】
当接部（９）及び靴状体（１０）の両方又は一方が、高い摩擦係数を有する材料で覆われる、
請求項１に記載のデバイス。
【請求項８】
靴状体（１０）を保持位置に戻す弾性部材（１８）を含む、
請求項１に記載のデバイス。
【請求項９】
靴状体（１０）を非係合位置に至らせるための機械的な部材（１９，２１）を含む、
請求項１に記載のデバイス。
【請求項１０】
機械的な部材がアーム（１９）を具備し、
アームが、靴状体の下に突出し、かつカム（２１）と協働するための自由端部を有し、
カムが、アームの前記自由端部に対して移動する、
請求項９に記載のデバイス。
【請求項１１】
容器を処理するための設備であって、
構造（１）と、
回転するように構造に取り付けられ、かつ容器の頂部分を支持するための支持手段（３）が設けられる回転式プラットフォーム（２）と、
容器の底部分を保持するために、請求項１〜７のいずれか１項によるデバイスと、
を具備する、
設備。
【請求項１２】
デバイスが、保持位置に靴状体（１０）を戻すための弾性部材（１８）を含む、
請求項１１に記載の設備。
【請求項１３】
デバイスが、靴状体（１０）を非係合位置に至らせるための機械的な部材を含み、
前記機械的な部材がアーム（１９）を具備し、
アームが、靴状体の下に突出し、かつ少なくとも１つのカム（２１）と協働するための自由端部を有し、
カムが、設備内部に容器を挿入するため、かつ設備から容器を引き抜くために、ゾーン（Ａ）にわたって拡がるように、構造（１）に締結される、
請求項１１に記載の設備。
【請求項１４】
前記設備が、容器を閉鎖するための設備であり、
前記設備が、回し締め栓を駆動するためのスピンドルを有し、
スピンドルが、容器の頂部分を保持するための手段の上のプラットフォームの頂部分に取り付けられている、
請求項１１〜１３のいずれか１項に記載の設備。
【発明の詳細な説明】
【技術分野】
【０００１】
本発明は、容器保持デバイスと、前記容器を運送し、充填し又は閉鎖するための設備などの容器処理設備とに関する。
【背景技術】
【０００２】
このような設備の例として、栓を回し締めるためのスピンドルと回し締めスピンドルの下で容器を支持するための手段とが取り付けられた、外縁部を有する回転式プラットフォームを具備する容器閉鎖設備が公知である。容器供給用の星形体と、閉鎖された容器を取り除くための星形体とは、プラットフォームに隣接して設けられ、両方の星形体は、回転式であり、容器支持手段を有するプラットフォームの外縁部に取り付けられる。
【０００３】
一般的に、液体包装製造ラインは、次々に配置された複数の設備を有し、具体的には、充填設備、閉鎖設備、場合により容器を洗浄し又はすすぐための設備、容器を滅菌するための設備等を具備する。
【０００４】
このような設備の全体にわたっての速度は、比較的高い容器の移動速度を生じさせる。したがって、容器が落下しないことを確保するために、容器を星形体及びプラットフォームに十分に確かに保持することが必要である。
【０００５】
加えて、栓を回し締めることによって閉鎖するなどの一定の作用を、回し締める軸線回りに回転することから防がれている容器なしに行うことができない。容器がプラスチック材料から作られる場合、このような容器がこれら容器の襟状部によって支持されるときに、容器の材料内部に、具体的には容器の襟状部の下にくい込む鋭利な刃又はスパイクの手段によって、容器が回転することを防ぐことができる。その後、刃又はスパイクが襟状部に入り込むことが可能になるように、栓が回し締められている間に栓に鉛直方向の力を及ぼすことが必要である。この力は、妨害抵抗トルクを引き起こし、このトルクは、栓のための所定の程度の締め付けトルクを得ることを難しくする。さらに、刃又はスパイクが入り込む前に、容器が回転する傾向があり、その結果、容器の襟状部が、刃又はスパイクに対してこすりつけられる傾向があり、それにより、削りくずが分離され、削りくずが設備内部に分散してしまう。首部保持デバイスには、そのような回転を防ぐための工夫がされている。
【０００６】
それにもかかわらず、容器をしっかりと保持することにより、星形体とプラットフォームとの間での容器の移送が妨げられてはいけない。１つの装置から他の装置への容器のこのような移送は、容器のこの移動の間において決定的である作用を構成し、任意の容器が前記装置に不完全に位置決めされることを避けるように、抵抗をできる限り少なくすることが必要である。
【発明の概要】
【発明が解決しようとする課題】
【０００７】
本発明の目的は、上記記載で特定された制約を満足する保持手段を提供することにある。
【課題を解決するための手段】
【０００８】
この目的のために、本発明は、
容器処理設備における容器の底部分を保持するためのデバイスであって、
容器の底部分の横表面に対する固定当接部と、
靴状体であって、
靴状体が容器の底部分と協働するように当接部の付近において延びる保持位置と、
容器の底部分が当接部に係止する方向とほぼ同一平面上にある方向に沿ってデバイスの内部に挿入されかつデバイスから引き抜かれることが可能になるように、靴状体が引っ込められる非係合位置と
の間で、
ほぼ水平な軸線回りに枢動するように取り付けられた靴状体と
が設けられた支持コアを具備する、
デバイスを提供する。
【０００９】
したがって、容器が、デバイスが取り付けられたプラットフォームと、プラットフォームに容器を挿入しかつプラットフォームから容器を取り除く輸送装置との間で移送されることが可能になるために、靴状体を引っ込めることができる。加えて、容器の底部分を保持するデバイスは、容器の頂部分と干渉せず、包装する流体との関連で、主に容器の開口にアクセスする必要のある処理作用の遂行を妨げない。
【００１０】
有利には、靴状体は押し込み表面を含み、押し込み表面は、靴状体が保持位置にあるときに容器の底部分を当接部に対して押圧するように、当接部に対向するように拡がる。
【００１１】
したがって、容器の底部分を、固定当接部と移動可能な靴状体の押し込み表面との間において把持することができる。
【００１２】
このような状況下において、好ましくは、当接部及び押し込み表面は、靴状体が保持位置にあるときに、容器の底部分の少なくとも一部の周りに密接に適合するように成形される。
【００１３】
したがって、容器と固定当接部及び押し込み表面の両方との間の接触領域は、比較的大きくなることができ、それにより、容器を効果的に保持し、具体的には、容器がその中心軸線回りに回転することを防ぐ。加えて、容器が多角形断面形状であるならば、容器の底部分は、固定当接部と移動可能な靴状体とによって画定されるハウジング内に確実に保持される。
【００１４】
さらに有利には、靴状体が保持位置にあるときに、靴状体は、容器の底部を支持するように、当接部の近傍に水平に拡がる床板を含む。
【００１５】
容器の底部は次いで、移動可能な靴状体の床板に載置され、この床板は、靴状体が保持位置にあるときに、容器の底部に対して押圧される。
【００１６】
有利には、前記枢動軸線は、当接部の下で水平方向に延び、好ましくは、靴状体の枢動軸線は、当接部から離間される。
【００１７】
この実施形態は特に、構成するのに容易であり、靴状体を容器の底部分に対して押圧する力を得ることを簡易にする。
【００１８】
好ましくは、当接部及び靴状体の両方又は一方は、高い摩擦係数を有する材料で覆われる。
【００１９】
このさらなる実施形態は、容器の回転に対する容器の保持作用を改善する。
【００２０】
有利には、デバイスは、靴状体を保持位置に戻す弾性部材を含む。
【００２１】
容器が不完全に位置決めされるならば、バネは、靴状体をその保持位置に戻すことができず、それにより、容器又は装備が破壊されるあらゆるリスクを制限する。
【００２２】
このような状況下において、好ましくは、デバイスは、靴状体を非係合位置に至らせるための機械的な部材を含み、この機械的な部材は、有利には、アームを具備し、アームは、靴状体の下に突出し、かつカムと協働するための自由端部を有し、カムは、アームの前記自由端部に対して移動する。
【００２３】
本発明はさらに、本発明の保持デバイスを組み込む処理設備を提供する。
【００２４】
本発明の他の特徴及び利点は、本発明の特定の制限しない実施形態の以下の記載を読むことによりわかる。
【図面の簡単な説明】
【００２５】
【図１】本発明による設備の部分斜視線図。
【図２】第１の視角から見た保持デバイスのさらに詳細な斜視図。
【図３】図２に類似するが、第２の視角から見た図。
【図４】図３のＩＶ平面でのデバイスの断面線図。
【発明を実施するための形態】
【００２６】
添付の図面が参照される。
【００２７】
図によれば、本発明は、容器を閉鎖するための閉鎖設備について、以下に説明され、この容器は、ネジ山を有する開口を載せている襟状部が設けられた首部を有する。
【００２８】
従来のやり方では、閉鎖設備は、構造１を具備し、構造１は、プラットフォーム２を支持する柱であって、構造１上に枢動するように取り付けられた柱を有し、プラットフォーム２は、容器の頂部分を介して、さらに厳密にこの例では容器の襟状部を介して容器を支持するための手段が設けられる外縁部を有する。この例では、これらの支持手段は、襟状部のすぐ下に延びる首部の部分を受け取るように配置された凹部３を具備し、各凹部３には、凹部３内に首部を保持するための部材が付設され、この部材は、示されないがこれ自体は公知である。プラットフォーム２は、ネジ回しタレットを載せており、それぞれの凹部３の上に配置されたねじ回しスピンドル４が、ネジ回しタレットから下降される。ネジ回しスピンドル４は、構造１に固定されたカム（図示せず）によって鉛直方向線形往復移動によって駆動される。各ネジ回しスピンドル４は、回転駆動される栓と頂部の端部とを把持するための把持部材が設けられる底部の端部を有する。閉鎖するための容器を凹部３に供給しかつ凹部３から閉鎖された容器を引き抜くために、星形体又は他の容器輸送デバイスを、設備のゾーンＡ内においてプラットフォーム２に付設することができる。様々な上述の要素自体は公知であり、ここでは、さらに詳細に説明されない。
【００２９】
プラットフォーム２の下に、容器の底部分を保持するための保持デバイス５が取り付けられる。
【００３０】
保持デバイス５は、柱と共に回転及び並進移動するように、柱に固定されている。保持デバイス５は、全体に参照番号６が付与されたコアを具備し、このコアは、容器の底部の端部の対応する部分を受け取るための横方向開放凹部８によって空洞化された外縁部を有する水平頂部板７を含む。各横方向開放凹部８は、それぞれの凹部３の下に拡がり、容器の底部分に対する半径方向当接部を形成する壁９によって画定される。
【００３１】
保持デバイス５はさらに、全体に参照番号１０が付与された靴状体を有し、各靴状体１０は、容器の底部に対して押し込む床板１１を具備し、顎形状部分１２は、容器の底部分に対して横方向に押圧するための押し込み表面１３を含む。
【００３２】
各靴状体１０は、靴状体１０が容器の底部分と協働するように壁９の付近において延びる保持位置と、容器の底部分が（図４のＦで参照される）押し込み方向とほぼ同一平面上にある方向に沿ってデバイスの内部に挿入されかつデバイスから引き抜かれることが可能になるように、靴状体１０が引っ込められる非係合位置であって、容器の底部の端部がこの方向に沿って壁９に対して押圧される非係合位置との間で枢動するように、コア６に取り付けられる。
【００３３】
各靴状体１０は、一対の脚状体１４を含み、各脚状体１４は、顎形状部分１２の底面に固く締結された一方の端部と、水平頂部板７からオフセットした位置において、水平頂部板７の下（ひいては壁９の下）で水平方向に延びる蝶番ピン１５を介してコア６に接続される反対側の端部とを有する。ロッド１６（図１及び図３では図示しない）は、脚状体１４と、ブラケット１７を形成するコア６の底部分との間に取り付けられる。ロッド１６は、蝶番ピン１５に対して平行な軸線回りに枢動するように脚状体１４に蝶着された肩付き頂部の端部と、ブラケット１７内で摺動しかつ蝶番ピン１５に対して平行な軸線回りに枢動するように受け取られる底部の端部とを有する。バネ１８は、靴状体１０の保持位置に向かって弾性的に靴状体１０を付勢するように、ロッド１６の肩付き端部とブラケット１７を形成する部分との間においてロッド１６の周りに取り付けられる。明瞭さのために、図は、全てのロッド１６及びバネ１８を図示しない。
【００３４】
各靴状体１０には、脚状体１４のうちの１つに固く締結された一方の端部と、靴状体１０を非係合位置に至らせるようにゾーンＡに面する構造１に締結されたカム２１と協働するためのホイール２０が設けられた反対側の端部とを有する制御アーム１９が付設される。制御アーム１９及びカム２１は、靴状体を非係合位置に至らせるための機械的な手段を形成する。
【００３５】
壁９及び靴状体１０は、高い摩擦係数を有する材料で覆われる。
【００３６】
カム２１が制御アーム１９を下げることによって（図４の矢印Ｒ１及び矢印Ｒ２）対応する靴状体１０が非係合位置に保持される間に、容器は、ゾーンＡ内の凹部３内部に挿入される。非係合位置において、靴状体１０は、容器が挿入される間及び取り除かれる間の両方において、容器の底部分までの通路を完全に開放しておく。プラットフォーム２及び保持デバイス５が共に回転するので、ホイール２０はカム２１を離れ、バネ１８は保持位置に靴状体１０を戻す。押し込み表面１３は次いで、容器の底部分を壁９に対して押圧し、床板１１は、容器の底部に対して押圧される。図において、壁９及び押し込み表面１３が、壁９及び押し込み表面１３によって画定されるハウジングに係合される容器の底部分の形状に適合するように成形されていることが理解できる。
【００３７】
したがって、容器は、栓が締められている間に、前記容器が栓を回し締める軸線回りに回転することを防ぐ保持デバイス５によってしっかりと固定される。
【００３８】
回し締めの終わりに際して、容器は、プラットフォーム２及び保持デバイス５が共に回転する結果として、ゾーンＡにもう一度位置し、それにより、カム２１は、閉鎖された容器を取り除くことができるように、靴状体１０をその非係合位置にする。
【００３９】
当然に、本発明は説明された実施形態に制限されないが、特許請求の範囲によって画定される発明の範囲内に含まれるあらゆる変形を包含する。
【００４０】
具体的には、靴状体は、説明されたものと異なる形状であってもよく、床板又は押し込み表面を有する必要もない。
【００４１】
押し込み表面及び当接部は、容器と同じ断面を有するハウジングを画定するのに適する形状であって、箇所又は領域を占める押し込みゾーンを提供する形状であってもよい。
【００４２】
保持デバイス５とプラットフォーム２との間の距離を変更するために、保持デバイスの高さを調節するためのデバイスが設けられてもよく、それにより、このデバイスが様々な高さの容器に適することが可能になる。
【００４３】
高い摩擦係数を有する材料は、靴状体及び固定当接部の両方又は一方の一部のみを覆う必要があり、又は、実際には、省略されてもよい。
【００４４】
機械式、弾性式、電気式、空気式、液圧式等の手段などの、靴状体をその位置同士の間で移動させるための他の手段を、使用することができる。
【００４５】
容器を、オペレータによって、若しくは互いに異なるゾーンにおいて、又はその両方で、挿入してもよく、又は取り除いてもよい。
【００４６】
本発明は、容器が線形的に移動させられる設備に適用することができる。
【００４７】
容器の底部分をしっかりと保持することは、他のタイプの設備についても関心があることである。本発明は、同様に、あらゆるタイプの容器処理設備、具体的には、容器を充填、運送、洗浄、滅菌等するための設備に適用される。
【図１】
2012502862.tif 000003
【図２】
2012502862.tif 000004
【図３】
2012502862.tif 000005
【図４】
2012502862.tif 000006
【国際調査報告】
2012502862.tif 000007
2012502862.tif 000008
2012502862.tif 000009
2012502862.tif 000010